(57)【特許請求の範囲】
【請求項１】
ソーシャルネットワークサービスを提供するサービスサーバにより実行される文章素材添付投稿方法であって、
前記サービスサーバにより、
（ａ）情報格納媒体リーダ部を有する端末機により、複数の文章素材媒介情報と該文章素材媒介情報に対応する文章素材の内容が記述された簡略情報とが記憶された情報格納媒体から獲得され、前記端末機から伝送された前記複数の文章素材媒介情報から選択された一つの文書素材媒介情報を受信し、
（ｂ）受信した前記文章素材媒介情報にマッチする文章素材情報を抽出し、前記端末機に伝送し、
（ｃ）前記端末機で生成された前記文章素材媒介情報が添付された掲示物を前記端末機から受信し、前記文章素材媒介情報にマッチする文章素材情報を抽出し、抽出された文章素材情報を前記掲示物に添付して、前記端末機から伝送される識別情報に対応するユーザのブログ及び／又はマイクロブログを含むソーシャルネットワークサービスに投稿すること、を含むことを特徴とする文章素材添付投稿方法。
【請求項２】
前記（ｂ）段階は、文章素材媒介情報と文章素材情報との関係を示すマッチングテーブルを参照して、前記受信した少なくとも一つの文章素材媒介情報にマッチする少なくとも一つの文章素材情報を抽出して前記端末機に伝送することを特徴とする請求項１に記載の文章素材添付投稿方法。
【請求項３】
前記（ｃ）段階で受信する前記文章素材媒介情報が添付された掲示物は、ユーザの操作により選択された少なくとも一つの文章素材媒介情報が添付されていることを特徴とする請求項２に記載の文章素材添付投稿方法。
【請求項４】
前記（ｂ）段階は、前記受信した文章素材媒介情報にマッチする前記文章素材情報と同じ文書素材情報を用いて作成された掲示物を検索し、検索された前記掲示物に基づいて掲示物リストを生成し前記文章素材情報と共にて前記端末機にさらに伝送することを特徴とする請求項１に記載の文章素材添付投稿方法。
【請求項５】
前記掲示物リストは、前記ユーザの知人として前記サービスサーバに登録された他のユーザが作成した掲示物が上位リストに来るように整列されて前記端末機に提供されることを特徴とする請求項４に記載の文章素材添付投稿方法。
【請求項６】
前記（ｂ）段階は、前記伝送された掲示物リストのうち、前記端末機から、前記掲示物リストに含まれる特定掲示物に関する詳細情報が要請される場合、前記特定掲示物の情報を抽出して前記端末機にさらに伝送することを特徴とする請求項４または５に記載の文章素材添付投稿方法。
【請求項７】
前記（ｃ）段階で投稿される前記掲示物は、前記特定掲示物のコメントとして投稿されることを特徴とする請求項６に記載の文章素材添付投稿方法。
【請求項８】
前記端末機は、近距離無線通信機能を備え、
前記端末機の近距離無線通信半径内の他のユーザの端末機に、前記文章素材媒介情報、前記受信された文章素材情報、前記生成された掲示物のうち少なくとも一つ以上を伝送することをさらに含むことを特徴とする請求項１に記載の文章素材添付投稿方法。
【請求項９】
前記（ｃ）段階は、前記掲示物とともに他のユーザの識別情報をさらに受信し、受信した前記他のユーザの識別情報を利用して、前記受信した掲示物を前記他のユーザのブログまたはマイクロブログにさらに投稿することを特徴とする請求項１から８の何れか一つに記載の文章素材添付投稿方法。
【請求項１０】
（ａ）端末機により、複数の文章素材媒介情報と該文章素材媒介情報に対応する文章素材の内容が記述された簡略情報が記憶された情報格納媒体から獲得され、前記複数の文章素材媒介情報から選択された一つの文章素材媒介情報を取得し、
（ｂ）前記端末機が、前記選択された一つの文章素材媒介情報を、ソーシャルネットワークサービスを提供するサービスサーバに伝送し、
（ｃ）前記端末機が、前記選択された一つの文章素材媒介情報とマッチする文章素材情報を前記サービスサーバから受信し、
（ｄ）前記端末機が、前記文章素材媒介情報が添付された掲示物を前記サービスサーバに伝送し、前記サービスサーバが前記文章素材媒介情報にマッチする文章素材情報を抽出し受信した前記掲示物に添付して前記端末機から伝送される識別情報に対応するユーザのブログ及び／又はマイクロブログを含むソーシャルネットワークサービスに投稿すること、を含む文章素材添付投稿方法。
【請求項１１】
請求項１から１０の何れか一つの方法を実行するためのプログラムを記録したコンピュータ読み取り可能な記録媒体。
【請求項１２】
情報格納媒体に格納されている文章素材媒介情報を獲得するための情報格納媒体リーダ部を備えた端末機に、文章素材添付投稿の機能を実行するアプリケーションを提供する、ソーシャルネットワークサービスを提供するサービスサーバであって、
前記アプリケーションは、前記端末機を、
前記情報格納媒体リーダ部を制御して前記情報格納媒体に格納された複数の文章素材媒介情報と該文章素材媒介情報に対応する文章素材の内容が記述された簡略情報を読み出して、前記複数の文章素材媒介情報から選択された一つの文章素材媒介情報を取得し、前記選択された一つの文章素材媒介情報を前記サービスサーバに伝送して、前記サービスサーバから伝送される前記選択された一つの文章素材媒介情報とマッチする文章素材情報を受信し、前記文章素材情報を、掲示物の内容を入力する入力窓と受信した前記文章素材情報が表示される文章素材情報表示窓とで構成される掲示物作成インタフェースに出力して、前記入力窓を介して入力された前記掲示物の内容と前記文章素材情報を利用して、前記文章素材媒介情報が添付された掲示物を生成し、前記文章素材媒介情報が添付された掲示物を前記サービスサーバに伝送する掲示物作成部として機能させることを特徴とするソーシャルネットワークサービスを提供するサービスサーバ。
【請求項１３】
前記アプリケーションは、前記掲示物作成部で、前記端末機の近距離無線通信半径内の他のユーザの端末機に、前記文章素材媒介情報、前記受信した文章素材情報、前記生成した掲示物のうち少なくとも一つ以上を伝送することを特徴とする請求項１２に記載のソーシャルネットワークサービスを提供するサービスサーバ。
【請求項１４】
前記アプリケーションは、前記掲示物作成部で、前記端末機の近距離無線通信半径内の他のユーザの端末機から伝送される前記他のユーザの識別情報を受信し、受信した前記他のユーザの識別情報を利用して、前記生成された掲示物を、前記サービスサーバを介して、前記他のユーザのブログまたはマイクロブログに投稿することを特徴とする請求項１２に記載のソーシャルネットワークサービスを提供するサービスサーバ。
【請求項１５】
情報格納媒体に格納されている文章素材媒介情報を獲得するための情報格納媒体リーダ部を備え、文章素材媒介情報が添付された掲示物の投稿を実行するアプリケーションが記憶された端末機であって、
前記アプリケーションは、
前記情報格納媒体リーダ部を制御して前記情報格納媒体に格納された複数の文章素材媒介情報と該文章素材媒介情報に対応する文章素材の内容が記述された簡略情報を読み出して、前記複数の文章素材媒介情報から選択された一つの文章素材媒介情報を取得し、前記選択された一つの文章素材媒介情報を、ソーシャルネットワークサービスを提供するサービスサーバに伝送して、前記サービスサーバから伝送される前記選択された一つの文章素材媒介情報とマッチする文章素材情報を受信し、掲示物の内容を入力する入力窓と受信した前記文章素材情報が表示される文章素材情報表示窓とで構成される掲示物作成インタフェースに出力して、前記入力窓を介して入力された前記掲示物の内容と前記文章素材情報を利用して、前記文章素材媒介情報が添付された掲示物を生成し、前記文章素材媒介情報が添付された掲示物を前記サービスサーバに伝送する掲示物作成部として機能させることを特徴とする端末機。
【請求項１６】
前記掲示物作成部は、前記端末機の近距離無線通信半径内の他のユーザの端末機に、前記文章素材媒介情報、前記受信した文章素材情報、前記生成した掲示物のうち少なくとも一つ以上を前記サービスサーバに伝送することを特徴とする請求項１５に記載の端末機。
【請求項１７】
前記掲示物作成部は、前記端末機の近距離無線通信半径内の他のユーザの端末機から伝送される前記他のユーザの識別情報を受信し、受信した前記他のユーザの識別情報を利用して、前記生成された掲示物を、前記サービスサーバを介して、前記他のユーザのブログまたはマイクロブログに投稿することを特徴とする請求項１５に記載の端末機。
【発明の詳細な説明】
【技術分野】
【０００１】
本発明は、文章素材添付投稿方法、サービスサーバ及びコンピュータ読み取り可能な記録媒体に関し、より詳細には、情報格納媒体から文章素材媒介情報を獲得し、獲得された文章素材媒介情報にマッチする文章素材情報の提供をサービスサーバから受けて、文章素材が添付された掲示物を投稿することができる方法、サービスサーバ及びコンピュータ読み取り可能な記録媒体に関する。
【背景技術】
【０００２】
情報通信技術の発達と大衆化に伴い、サイバースペースと個人の私生活が益々密接な関連性を有するようになってきた。これにより、多くのユーザがサイバースペースを利用して自分の考え、知識、意見、日常生活の出来事などを記録し、他のユーザと交流することにより、自分の関心事と個性を表現している。このような傾向に応じて、ユーザに個人のサイバースペースを提供し、提供されたスペース内でユーザ及びユーザと一連の関係を有する人々が意見を交流し、自分を表現することができるブログなどの様々な種類のサービス（以下、「ブログ」と総称する）が開発されて提供されている。ブログ（ｂｌｏｇまたはｗｅｂ  ｌｏｇ）とは、ウェブ（ｗｅｂ）とログ（ｌｏｇ）とを組み合わせた用語であり、ユーザが持っている感情や普段考えていること、知らせたいと思う意見や主張などを、ウェブで日記のように書き込んで、他の人が読むことができるように公開している文章の集まりである。ユーザは、自分のブログを介して自分が所望する内容の掲示物を作成して投稿することにより、サイバースペース内で世の中とコミュニケーションし、自分を表現している。このようなブログサービスにおいて、掲示物の作成をより容易にするための多様な種類のサービスが開発されている。特に、ユーザが掲示物に添付したい多様な種類のコンテンツをデータベースに構造化して格納し、ユーザが所望するコンテンツをユーザに提供して、掲示物に挿入できるようにするサービス（以下「文章素材添付」サービス）が提供されている。
【０００３】
一方、スマートフォンなどの携帯用情報通信機器の発達に伴い、上述のようなサイバースペースの関係の重要性が徐々に拡大しており、これにより、携帯用情報通信機器を中心に、意見と情報をリアルタイムで登録／交換することができるツイッター（ｔｗｉｔｔｅｒ）、ミートゥデイ（ｍｅ２ｄａｙ）などのマイクロブログサービスが開発されて提供され、活性化されている。特に、このようなマイクロブログの場合、モバイル環境特性のため、掲示物の文字数を制限することが一般的であり、上述のような文章素材添付サービスの重要性と活用度が徐々に増加している傾向にある。
【０００４】
しかし、このような携帯用情報通信機器を用いて、ブログまたはマイクロブログで上述のような文章素材添付サービスを利用しようとする場合、書き込みや検索が相対的に容易ではないモバイル環境特性のため、ユーザが携帯用情報通信機器を用いて文章素材データベースを検索し、所望する文章素材を探して自分が作成した掲示物に挿入して投稿することが難しく、不便であるという問題点があった。
【先行技術文献】
【特許文献】
【０００５】
【特許文献１】韓国公開特許第２０１２―０００５７８１号公報
【特許文献２】韓国公開特許第２００９―００２８６１７号公報
【発明の概要】
【発明が解決しようとする課題】
【０００６】
本発明の目的の一つは、情報格納媒体に格納されている情報を用いて、ユーザが書き込もうとする文章の対象に関する情報を自動で検索／提供することができる文章素材添付投稿方法、サービスサーバ及びコンピュータ読み取り可能な記録媒体を提供することにある。
【０００７】
本発明の他の目的は、ユーザが掲示物を作成するために情報格納媒体に格納されている情報を用いるにあたり、文章素材媒介情報と文章素材情報とを分離することにより、セキュリティ性を向上させることができる文章素材添付投稿方法、サービスサーバ及びコンピュータ読み取り可能な記録媒体を提供することにある。
【０００８】
本発明のさらに他の目的は、文章素材または文章素材が添付された掲示物をユーザが知人と共有することができる文章素材添付投稿方法、サービスサーバ及びコンピュータ読み取り可能な記録媒体を提供することにある。
【課題を解決するための手段】
【０００９】
上記のような本発明の目的を果たし、後述する本発明の特有の効果を果たすための本発明の特徴的な構成は以下のとおりである。
【００１０】
本発明の一実施形態によると、サービスサーバにより実行される文章素材添付投稿方法であって、前記サービスサーバにより、（ａ）端末機の情報格納媒体リーダ部により獲得された文章素材媒介情報を受信し、（ｂ）受信した前記文章素材媒介情報にマッチする文章素材情報を抽出して前記端末機に伝送し、（ｃ）前記端末機から伝送される、前記文章素材情報が添付された掲示物を受信し、受信した前記掲示物を投稿すること、を含むことを特徴とする文章素材添付投稿方法が提供される。
【００１１】
本発明の他の一実施形態によると、文章素材添付投稿の機能を提供するサービスサーバであって、端末機から伝送される情報格納媒体リーダ部により獲得された文章素材媒介情報を受信し、受信した前記文章素材媒介情報にマッチする文章素材情報を抽出して前記端末機に伝送し、前記端末機から伝送される、前記文章素材情報が添付された掲示物を受信して投稿することを特徴とするサービスサーバが提供される。
【発明の効果】
【００１２】
上述したように、本発明によると、情報格納媒体に格納されている情報を用いて、ユーザが書き込もうとする文章の対象に関する情報を自動で検索／提供することができるという効果がある。
【００１３】
また、本発明によると、ＮＦＣなどの今後普遍／常用化される近距離通信手段を用いて、メーカー及び商品に関する洗練された情報をユーザの意見とともに便利且つ迅速に知人に提供することができるという効果がある。
【００１４】
さらに、本発明によると、ユーザが掲示物を作成するために情報格納媒体に格納されている情報を用いるにあたり、文章素材媒介情報と文章素材情報とを分離することにより、セキュリティ性を向上させることができるという効果がある。
【図面の簡単な説明】
【００１５】
【図１】本発明の好ましい一実施形態による全体システムを概略的に示した図面である。
【図２】本発明の好ましい一実施形態による端末機の詳細構成を示した図面である。
【図３】本発明の好ましい一実施形態による端末機により実行される文章素材添付投稿の過程を示したフローチャートである。
【図４Ａ】本発明の好ましい一実施形態による文章素材情報が添付された掲示物の作成インタフェースの例示図である。
【図４Ｂ】本発明の好ましい一実施形態による作成が完了した文章素材が添付された掲示物の例示図である。
【図４Ｃ】本発明の好ましい実施形態による文章素材がクリックされた場合に表示される画面の例示図である。
【発明を実施するための形態】
【００１６】
後述する本発明についての詳細な説明は、本発明が実施できる特定の実施形態を例示として示す図面を参照する。これらの実施形態は、当業者が本発明を十分に実施することができるように詳細に説明される。本発明の多様な実施形態は、互いに異なるが、相互排他的な必要はないことを理解すべきである。例えば、ここに記載されている特定の形状、構造及び特徴は、一実施形態に関連して本発明の思想及び範囲を外れずに他の実施形態に具現されることができる。また、それぞれの開示された実施形態内の個別構成要素の位置または配置は、本発明の思想及び範囲を外れずに変更されることができることを理解すべきである。従って、後述する詳細な説明は限定的な意味で扱うものでなく、本発明の範囲は、適切に説明されるならば、その請求範囲が主張するものと均等な全ての範囲と共に、請求範囲によってのみ限定される。図面において、類似の参照符号は、様々な側面にわたって同一または類似の機能を示す。
【００１７】
以下、本発明が属する技術分野において通常の知識を有する者が本発明を容易に実施できるように、本発明の好ましい実施形態について図面を参照して詳細に説明する。
【００１８】
［本発明の好ましい実施形態］
本発明の実施形態において、「文章素材（文章素材情報）」という用語は、ユーザが作成しようとする文章の主題、内容と係る情報を意味するものであり、「文章素材添付」とは、ユーザが選択した文章素材情報をユーザが作成した掲示物に挿入または添付することを意味する。
【００１９】
また、「文章素材媒介情報」という用語は、文章素材情報自体でなく、文章素材情報を識別するための媒介情報を意味する。
【００２０】
また、「近距離無線通信機能」という用語は、ジグビー、ブルートゥース、ＲＦＩＤ（ＮＦＣ）など、近距離で無線でデータを通信するための一連の装置とプロトコルとを総称するものであり、接触式または非接触式無線通信を全て含む概念である。
【００２１】
全体システムの構成
図１は本発明の好ましい一実施形態による全体システムを概略的に示した図面である。以下、図１を参照して本発明による全体システムについて詳細に説明する。
【００２２】
図１に図示されたように、本発明による全体システムは、情報格納媒体１１０と、端末機１２０と、通信網１３０と、サービスサーバ１４０と、を含んでもよい。
【００２３】
本発明の好ましい一実施形態による情報格納媒体１１０は、所定の情報を格納することができる機能を有する媒体であり、特定の対象に対する文章素材媒介情報（ｍｅｔａｄａｔａ）を格納する。このような情報格納媒体１１０として、通信機能を備えていない情報格納媒体（バーコード、ＱＲコード（登録商標）など）、通信機能を備えた情報格納媒体（ジグビー装置、ブルートゥース装置、ＲＦＩＤ  Ｔａｇ（以下、「ＮＦＣタグ（ＮＦＣ  Ｔａｇ）」）が全て利用可能である。
【００２４】
特に、ＮＦＣ（Ｎｅａｒ  Ｆｉｅｌｄ  Ｃｏｍｍｕｎｉｃａｔｉｏｎ）とは、近距離（約１０ｃｍ）以内の距離で無線機器が互いに通信できる通信規格を意味し、１３．５６ＭＨｚ帯域を利用して、ＩＳＯ  １４４４３、ＩＳＯ  １５６９３、ＩＳＯ  １８０９２、ＩＳＯ  ２１４８１規約に従う。ＮＦＣ端末機とは、このようなＮＦＣ規格に従うＲＦＩＤタグとＲＦＩＤリーダとが搭載された端末機を意味する。ＮＦＣリーダが備えられたスマートフォンにおいて、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）がＲＦＩＤタグの機能を果たす。
【００２５】
以下、説明の便宜のために、本発明による情報格納媒体１１０としてＮＦＣタグ１１０を用いた実施形態を中心に説明するが、これに限定されないということは当業者において自明である。
【００２６】
本発明による情報格納媒体１１０には、情報格納媒体１１０が付けられた物（本、レコード、商品など）または情報格納媒体１１０が設置された場所（映画館、劇場、食堂、店舗など）に係わる文章素材情報を識別することができる文章素材媒介情報が格納されている。以下では、説明の便宜のために、食堂に設置され、該食堂と係わる文章素材情報を識別することができる文章素材媒介情報を格納している情報格納媒体１１０を利用した実施形態を中心に説明するが、これに限定されるものではない。
【００２７】
より好ましく、本発明による情報格納媒体１１０には、複数の文章素材媒介情報が格納されるように構成されてもよい。表１は、Ａ食堂１００に設置されたＮＦＣタグに格納される文章素材媒介情報の構成例である。
【００２８】
【表１】
0005793465.tif 000002
【００２９】
表１に示した内容中、実際に情報格納媒体１１０に格納される内容は文章素材媒介情報であり、文章素材情報は、後述するサービスサーバ１４０の文章素材データベース１４２に構造化されて格納されている。情報格納媒体１１０に文章素材情報自体を格納せず、文章素材媒介情報を格納するように構成することにより、ＮＦＣタグなどの小さい格納容量を有する媒体を本発明による情報格納媒体として用いることができると共に、複数の文章素材媒介情報を格納してユーザに提供できるという利点を期待することができる。また、文章素材媒介情報と文章素材情報とを分離して構成することにより、ユーザの個人領域と共通領域との間の情報秘匿が可能となり、セキュリティ性を向上させることができるという効果を期待することができる。
【００３０】
一方、上述のように複数の文章素材媒介情報が情報格納媒体１１０に格納されるように構成された実施形態において、文章素材媒介情報は、文章素材媒介情報に対応する文章素材情報に関する簡略情報を含むように構成されてもよい。このような簡略情報を用いて、端末機は複数の文章素材媒介情報夫々に含まれた媒介情報毎の簡略情報を出力し、ユーザは、出力された簡略情報を用いて複数の文章素材媒介情報のうち自分が所望する文章素材情報に対する文章素材媒介情報のみを選択してサービスサーバ１４０に伝送することにより、所望する文章素材情報の提供を受けることができる。
【００３１】
本発明による端末機１２０は、情報格納媒体１１０に格納されている文章素材媒介情報を獲得し、獲得した文章素材媒介情報をサービスサーバ１４０に伝送して該文章素材媒介情報に対応する文章素材情報の提供を受けて、ユーザの操作により入力される内容と提供された文章素材情報とを用いて、文章素材情報が添付された掲示物を生成して投稿する機能を実行する。
【００３２】
このような機能を実行するために、端末機１２０は、情報格納媒体１１０に格納されている情報を獲得することができる情報獲得手段を備えなければならない。即ち、情報格納媒体１１０がバーコードである場合はバーコードリーダを備えなければならず、情報格納媒体１１０がＱＲコード（登録商標）である場合は撮像手段を備えなければならず、情報格納媒体１１０がブルートゥース装置である場合はブルートゥース通信手段を備えなければならず、情報格納媒体１１０がＮＦＣタグである場合はＮＦＣリーダを備えなければならない。以上で、情報格納媒体１１０がＮＦＣタグを用いて具現される実施形態を中心に説明したため、以下では端末機１２０はＮＦＣリーダを備えた端末機であると仮定して説明する。また、本発明による端末機１２０は、通信網１３０を介してサービスサーバ１４０とデータ通信を実行しなければならないため、それに適した通信部２０４が備えられる。また、本発明による端末機１２０には、端末機１２０を構成する各部を制御して上述のような機能を実行するためのアプリケーションが設置されてもよい。
【００３３】
即ち、本発明による端末機１２０は、情報格納媒体１１０から情報を獲得することができる情報獲得手段と通信網を介したデータ通信機能とを備え、構成各部を制御して上述のような機能を遂行するためのアプリケーションが設置された個人用情報通信機器を意味する。従って、多様な種類の情報通信機器のうち、ノート型パソコン、パームトップ（ｐａｌｍｔｏｐ）コンピュータ、個人携帯情報端末（ｐｅｒｓｏｎａｌ  ｄｉｇｉｔａｌ  ａｓｓｉｓｔａｎｔ：ＰＤＡ）、ウェブパッド、スマートフォンを含む移動通信端末機などのように、メモリ手段を備え、マイクロプロセッサを搭載して演算能力を備えたデジタル機器であれば、本発明による端末機１２０として採用されることができる。以下では、端末機１２０がＮＦＣリーダを備えたスマートフォンを用いて具現された実施形態を中心に説明する。
【００３４】
上述のような端末機１２０の詳細な構成と機能については、図２を参照して後述する。
【００３５】
本発明によるサービスサーバ１４０は、ユーザにブログ及び／またはマイクロブログなどのＳＮＳ（Ｓｏｃｉａｌ  Ｎｅｔｗｏｒｋ  Ｓｅｒｖｉｃｅ）を提供するサーバであり、「文章素材添付」サービスを提供するための文章素材データベース１４２と、ＳＮＳサービスを提供するための掲示物データベース１４４と、を備えている。このようなＳＮＳサービス及び文章素材添付サービスの機能自体は、既に公知された技術を採用しているため、以下では公知された部分を除き、本発明による特徴的な構成と機能を中心に説明する。
【００３６】
まず、本発明によるサービスサーバ１４０は、端末機１２０に設置され、端末機１２０の構成各部（情報格納媒体リーダ部、通信部、格納部など）を制御することにより、ユーザの操作により文章素材添付投稿の機能を実行するように構成された上述のようなアプリケーションを端末機１２０に提供するように構成されてもよい。この際、より好ましくは、本発明によるサービスサーバ１４０から端末機１２０に提供されるアプリケーションは、図２を参照して後述する掲示物作成部２０２を含んで構成される。
【００３７】
文章素材データベース１４２には、所定基準に従って分類されて格納される多数の文章素材情報が構造化されて格納されている。例えば、複数の文章素材情報は、音楽、商品、百科事典、天気、人物、地図、お勧めのレストランなどの分類カテゴリに従って分類され、文章素材データベース１４２に格納されてもよい。
【００３８】
また、本発明によるサービスサーバ１４０は、文章素材データベース１４２に格納された文章素材情報と文章素材媒介情報との関係を示すマッチングテーブルを格納するように構成される。即ち、サービスサーバ１４０は、端末機１２０から伝送される文章素材媒介情報を受信し、マッチングテーブルを参照して、受信された文章素材媒介情報に対応する文章素材情報を抽出して端末機１２０に伝送する。この際、上述したように、端末機１２０から複数の文章素材媒介情報が伝送される場合、サービスサーバ１４０は、各文章素材媒介情報に対応する複数の文章素材情報を抽出して端末機１２０に伝送する。
【００３９】
一方、本発明によるサービスサーバ１４０は、端末機１２０から伝送された文章素材媒介情報にマッチされて抽出される文章素材情報と同様の文章素材情報を用いて作成された掲示物を検索した後、検索された掲示物リストを抽出された文章素材情報とともに端末機１２０に伝送するように構成されてもよい。掲示物リストを生成するにあたり、サービスサーバ１４０は、端末機１２０のユーザの知人と登録されたユーザの掲示物が存在する場合、該掲示物を掲示物リストの上端にリストするように構成されることがより好ましい。
【００４０】
このような方式でサービスサーバ１４０が構成される場合、ユーザは端末機１２０を利用して、同様の文章素材情報を用いて作成された他のユーザの掲示物を確認した後、自分が作成しようとする掲示物に他のユーザの掲示物の内容を添付したり、または自分が作成した掲示物を他のユーザの掲示物の下位掲示物（コメントなど）として投稿することができる。このような機能を実行するために、本発明によるサービスサーバ１４０は、端末機１２０から掲示物リストに含まれた特定掲示物の情報が要請されると、掲示物データベース１４４から該当掲示物の情報を抽出して端末機１２０に伝送する。また、端末機１２０からユーザの操作により生成された掲示物が伝送される場合、特定掲示物に対するコメントとして投稿しようとする情報が含まれている場合、受信された掲示物をユーザが選択した特定掲示物のコメントとして投稿する。
【００４１】
また、サービスサーバ１４０は、端末機１２０から伝送される文章素材情報が添付された掲示物を受信し、掲示物データベース１４４に格納すると同時に、該当ユーザのブログ及び／またはマイクロブログに該当掲示物を投稿する。この際、実施形態の構成によって、端末機１２０から伝送される掲示物は、文章素材情報の代わりに最初に獲得されて選択された文章素材媒介情報が添付されるように構成されてもよい。即ち、端末機１２０から伝送される掲示物には文章素材媒介情報のみが添付されており、これを受信したサービスサーバ１４０が、添付された文章素材媒介情報にマッチする文章素材情報を文章素材データベース１４２から抽出して、受信された掲示物に添付した後、該当掲示物を投稿するように構成されてもよい。
【００４２】
一方、発明の構成によって、本発明によるサービスサーバ１４０は、一つの端末機１２０から伝送される掲示物情報に複数のユーザ識別情報（各ユーザに対する識別情報（ＩＤ、電話番号など）または各ユーザのブログ及び／またはマイクロブログを識別できる情報（ブログアドレスなど））が付加されている場合、受信された掲示物を識別情報に対応する各ユーザのブログ及び／またはマイクロブログに夫々投稿する機能をさらに実行するように構成されてもよい。
【００４３】
また、本発明の一実施形態によると、通信網１３０は、有線及び無線などのような通信形態を問わず構成されてもよく、パーソナルエリアネットワーク（ＰＡＮ；Ｐｅｒｓｏｎａｌ  Ａｒｅａ  Ｎｅｔｗｏｒｋ）、ローカルエリアネットワーク（ＬＡＮ；Ｌｏｃａｌ  Ａｒｅａ  Ｎｅｔｗｏｒｋ）、メトロポリタンエリアネットワーク（ＭＡＮ；Ｍｅｔｒｏｐｏｌｉｔａｎ  Ａｒｅａ  Ｎｅｔｗｏｒｋ）、広域ネットワーク（ＷＡＮ；Ｗｉｄｅ  Ａｒｅａ  Ｎｅｔｗｏｒｋ）など、多様な通信網で構成されてもよい。
【００４４】
文章素材添付投稿の機能を備えた端末機の構成
図２は本発明の好ましい一実施形態による端末機の詳細構成を示した図面である。図２を参照して、本発明による文章素材添付投稿の機能を備えた端末機について詳細に説明する。
【００４５】
図２に示されたように、本発明による端末機１２０は、情報格納媒体リーダ部２００と、掲示物作成部２０２と、通信部２０４と、格納部２０６と、ＵＳＩＭ部２０８と、を含んでもよい。
【００４６】
情報格納媒体リーダ部２００は、接触式または非接触式で、情報格納媒体１１０に格納された文章素材媒介情報を獲得する。図２に示された実施形態の場合、ＮＦＣリーダ部２００を用いて情報格納媒体リーダ部２００が構成されており、以下、ＮＦＣリーダ部２００を含む端末機１２０を説明する。勿論、上述のように、情報格納媒体リーダ部２００は情報格納媒体１１０の種類に応じて適切に選択されることができる。
【００４７】
本発明によるＮＦＣリーダ部２００は、ＮＦＣリーダ自体（即ち、ＮＦＣチップとアンテナ）と、ＮＦＣリーダとＵＳＩＭ部２０８のデータ入出力を制御するための制御部との機能を包括する概念である。
【００４８】
本発明による掲示物作成部２０２は、ＮＦＣリーダ部２００により獲得した文章素材媒介情報をサービスサーバ１４０に伝送して該文章素材媒介情報に対応する文章素材情報を要請し、サービスサーバ１４０から伝送される文章素材媒介情報とマッチする文章素材情報を受信／格納するように構成される。また、掲示物作成部２０２は、受信した文章素材情報を含む掲示物作成インタフェースを出力し、掲示物作成インタフェースを介して入力された内容と文章素材情報とを用いて文章素材情報が添付された掲示物を生成して、サービスサーバ１４０に伝送する。また、実施形態の構成によって、本発明による掲示物作成部２０２は、ユーザの操作により生成される掲示物に、文章素材情報自体でなく該文章素材情報に対応する文章素材媒介情報を添付するように構成されてもよい。このような本発明による掲示物作成部２０２は、アプリケーションとして本発明によるサービスサーバ１４０から端末機（情報格納媒体リーダ部２００及び通信部２０４を備える）に提供／設置されて動作するように構成されてもよい。
【００４９】
このような機能を実行するために、掲示物作成部２０２は、ＵＩ生成手段（図示せず）、掲示物生成手段（図示せず）、ＮＦＣリーダ部制御手段（図示せず）、通信部制御手段（図示せず）を含んでもよい。
【００５０】
一方、上述したように、ＮＦＣタグ１１０に複数の文章素材媒介情報が格納されており、各文章素材媒介情報が文章素材に関する簡略情報（対応する文章素材の種類など）を含むように構成される場合、掲示物作成部２０２は、獲得した簡略情報を用いてユーザに利用可能な文章素材情報リストを出力し、ユーザが選択した文章素材情報に対する文章素材媒介情報をサービスサーバ１４０に伝送するように構成されてもよい。即ち、上述の表１に示したように、掲示物作成部２０２は、例えば、「利用可能な文章素材：１．食堂紹介文章素材、２．食堂位置文章素材、３．メニュー１に対する文章素材、４．メニュー２に対する文章素材、５．メニュー３に対する文章素材、６．天気文章素材、７．交通文章素材」などの利用可能な文章素材情報リストを生成して出力し、ユーザの操作により選択された文章素材媒介情報のみをサービスサーバ１４０に伝送する。例えば、ユーザが上述のリストのうち１番と４番を選択した場合、掲示物作成部２０２は、１番に該当する「Ａ−１１１１」という文章素材媒介情報と４番に該当する「Ａ−４４４４」という文章素材媒介情報とをサービスサーバ１４０に伝送し、「Ａ−１１１１」という文章素材媒介情報に対応するＡ食堂紹介文章素材情報と「Ａ−４４４４」という文章素材媒介情報に対応するＡ食堂のメニュー２に対する文章素材情報とをサービスサーバ１４０から受信して、ユーザに提供するように構成される。勿論、掲示物の作成過程でユーザが受信した文章素材情報のうち一部を除外したり、または選択していない文章素材媒介情報を追加的に選択して対応する文章素材情報を受信して掲示物に挿入するように構成されてもよい。
【００５１】
一方、上述したように、ＮＦＣタグ１１０に複数の文章素材媒介情報が格納されており、各文章素材媒介情報が文章素材に関する簡略情報（対応する文章素材の種類など）を含まないように構成される実施形態について説明する。この実施形態において、各文章素材媒介情報に対応する文章素材に関する簡略情報がないため、掲示物作成部２０２は、獲得した文章素材媒介情報がどの文章素材に対する媒介情報であるか判断することができない。従って、掲示物作成部２０２は、獲得した全ての文章素材媒介情報を一旦サービスサーバ１４０に伝送し、サービスサーバ１４０から伝送される全ての文章素材情報を受信、格納する。このような過程が終了した後、掲示物作成部２０２は、受信した全ての文章素材情報が含まれた掲示物作成インタフェースを生成して出力してユーザに利用可能な文章素材情報を表示し、これを確認したユーザの操作により選択された特定文章素材情報のみを掲示物に挿入するように構成される。表１の例において、掲示物作成部２０２は、獲得した全ての文章素材媒介情報（「Ａ−１１１１」、「Ａ−２２２２」、「Ａ−３３３３」、「Ａ−４４４４」、「Ａ−５５５５」、「ａａａａ」、「ｂｂｂｂ」）をサービスサーバ１４０に伝送し、サービスサーバ１４０から伝送される全ての文章素材情報（「Ａ食堂紹介文章素材情報」、「Ａ食堂位置文章素材情報」、「Ａ食堂のメニュー１に対する文章素材情報」、「Ａ食堂のメニュー２に対する文章素材情報」、「Ａ食堂のメニュー３に対する文章素材情報」、「天気文章素材情報」、「交通文章素材情報」）を受信して出力する。ユーザは、端末機を利用して、出力される文章素材情報の内容を確認し、掲示物に添付しようとする文章素材情報を選択して、これにより選択された文章素材情報が掲示物作成部２０２によって掲示物に挿入／添付される。例えば、ユーザが「Ａ食堂紹介文章素材情報」、「Ａ食堂位置文章素材情報」を選択した場合、該当文章素材情報のみがユーザが作成する掲示物に挿入される。
【００５２】
一方、上述のように構成される実施形態、即ち、サービスサーバ１４０が同様の文章素材情報を用いて作成された他のユーザの掲示物に対する掲示物リストをともに伝送するように構成された実施形態において、端末機１２０は、受信した文章素材情報と掲示物リストとを表示する。端末機１２０に表示される掲示物リストを確認したユーザが特定掲示物を選択する場合、端末機１２０は、サービスサーバ１４０に選択された特定掲示物に関する情報を要請し、サービスサーバ１４０から伝送される特定掲示物に関する情報を受信して表示する。このような方式で実施形態が構成される場合、ユーザは、掲示物を作成した後、自分が作成した掲示物を特定掲示物の下位掲示物（コメントなど）として登録するための要請を入力することができ、このような要請が入力されると、端末機１２０は、生成された掲示物とともに特定掲示物に対する下位掲示物として生成掲示物を登録させるための要請を、生成された掲示物とともにサービスサーバ１４０に伝送する。これにより、サービスサーバ１４０は、要請に含まれた特定掲示物に対する下位掲示物として生成された掲示物を登録する。
【００５３】
一方、本発明による端末機１２０が上述のように近距離通信機能を備えた場合、本発明による掲示物作成部２０２は、このような近距離通信機能を利用して、獲得した文章素材媒介情報または受信した文章素材情報または作成した掲示物を近距離の他のユーザ（同様の近距離通信機能を備えた他の端末機１２０ｂを用いる他のユーザ）と共有するように構成されてもよい。特に、ＮＦＣ技術を採用する場合、装置間のペアリングが必須に要求されるブルートゥースなどの技術と異なって、複雑な手順を行うことなく端末機間の認識とデータ通信が可能であるという利点を期待することができる。従って、ユーザが共有機能を選択すると、掲示物作成部２０２は、ＮＦＣリーダ部２００を制御して近距離（即ち、無線データ通信が可能な距離）内の他のユーザの端末機１２０ｂを認識し、認識された他のユーザの端末機１２０ｂに、ユーザが選択した情報（獲得した文章素材媒介情報または受信した文章素材情報または作成した掲示物）を伝送する。このような機能は、知人とのグループ投稿を可能にするという効果を期待することができる。即ち、知人のうち一人のユーザにより文章素材情報（または媒介情報）が獲得されると、これを知人が共有して、夫々自分が作成する掲示物に添付して夫々自分のブログまたはマイクロブログに投稿することが可能となる。
【００５４】
一方、知人のうち、ユーザの端末機１２０ａと同様の近距離通信機能を備えた他の端末機１２０ｂを用いる他のユーザが存在する場合、本発明による掲示物作成部２０２は、知人に対するグループ投稿の機能をさらに実行するように構成されてもよい。即ち、掲示物の作成が完了した後、ユーザがグループ投稿の機能を選択すると、掲示物作成部２０２は、ＮＦＣリーダ部２００を制御して近距離（即ち、近距離無線データ通信が可能な距離）内の他のユーザの端末機１２０ｂから、グループ投稿を実行するための他のユーザの識別情報を受信する。一方、ＮＦＣ以外の通信規格（ブルートゥース、ＷｉＦｉなど）を用いる場合、端末機１２０ａは、通信半径内の他のユーザの端末機１２０ｂを自動で認識し、認識された他のユーザの端末機のうち特定端末機１２０ｂから伝送される他のユーザの識別情報を受信するように構成されてもよい。
【００５５】
この際、伝送される他のユーザの識別情報は、該当ユーザのブログ（及び／またはマイクロブログ）を識別できる情報または上述のサービスサーバが該当ユーザを識別できる情報であってもよい。例えば、他のユーザのマイクロブログアドレスを利用するように構成される場合、掲示物作成部２０２は、他のユーザの端末機１２０ｂから他のユーザのマイクロブログアドレスを受信し、作成された掲示物とユーザの識別情報（端末機識別情報、電話番号など）と受信した他のユーザのマイクロブログアドレスをサービスサーバ１４０に伝送して、サービスサーバ１４０は、受信したユーザの識別情報に該当するユーザのブログ（マイクロブログ）と他のユーザのマイクロブログとに受信した掲示物を投稿することにより、グループ投稿の機能を実行する。
【００５６】
勿論、上述のように構成される実施形態において、端末機１２０に他のユーザの識別情報が格納されている場合、他のユーザの識別情報の伝送／受信過程は省略されることができる。この場合、掲示物の作成を完了した後、ユーザがグループ投稿の機能を選択すると、掲示物作成部２０２は、グループ投稿の対象として格納されている（即ち、グループ投稿のための識別情報が格納されている）他のユーザに対するリストを出力し、ユーザの操作により選択された他のユーザに対する識別情報を作成した掲示物とともにサービスサーバ１４０によりグループ投稿を実行する。
【００５７】
文章素材添付投稿方法の例示
図３は本発明の好ましい一実施形態による端末機により実行される文章素材添付投稿の過程を示したフローチャートである。以下、図３を参照して、上述の表１のような実施形態を中心に、本発明による文章素材添付投稿の過程について詳細に説明する。
【００５８】
まず、Ａ食堂を訪問したユーザが端末機１２０をＡ食堂に設置されたＮＦＣタグ１１０に近距離無線通信半径内に接近させると、端末機１２０はＮＦＣタグ１１０を読み出し、格納された複数の文章素材媒介情報を獲得する（Ｓ３００）。この際、ＮＦＣタグ１１０は、Ａ食堂内の各テーブル及び／または重要ポイント（入口、カウンターなど）に付けられる形式で設置されてもよい。
【００５９】
一方、実施形態の構成によって、このようなＳ３００段階は、ユーザが端末機１２０に設置されたアプリケーション（掲示物作成アプリケーション）を実行する場合に限って実行されるように構成されてもよい。一方、このようなＳ３００段階が実行される場合、設置されたアプリケーションが自動で実行されるように構成されてもよい。
【００６０】
文章素材媒介情報が獲得されると、端末機１２０は獲得した文章素材媒介情報をサービスサーバ１４０に伝送する（Ｓ３０２）。上述したように、実施形態の構成によって、獲得した全ての文章素材媒介情報をサービスサーバ１４０に伝送してもよく、またはユーザが選択した文章素材媒介情報をサービスサーバ１４０に伝送するように構成されてもよい。
【００６１】
サービスサーバ１４０により、端末機１２０から伝送された文章素材媒介情報に対応する文章素材情報の検索及び抽出が実行され、サービスサーバ１４０から文章素材情報が伝送されると、端末機１２０はサービスサーバ１４０から伝送された文章素材情報を受信して格納する（Ｓ３０４）。一方、より好ましくは、サービスサーバ１４０は文章素材媒介情報を受信し、受信した文章素材媒介情報に対応する文章素材情報を抽出すると同時に、抽出した文章素材情報と同様の文章素材に対する掲示物を掲示物データベースから抽出して、文章素材情報とともに関連掲示物リストを端末機１２０に伝送するように構成されてもよい。この際、端末機１２０に伝送される掲示物リストは、ユーザの知人として登録された他のユーザが投稿した掲示物が上位に来るように整列されることがより好ましい。このような方式で実施形態が構成される場合、ユーザは、端末機１２０を利用して、自分が選択した文章素材情報と同様の文章素材に対して他のユーザが投稿した掲示物の内容を確認し、その掲示物に対するコメントの形態で自分が作成した掲示物を登録したり、または該当掲示物を引用する（即ち、該当掲示物の内容を含む）新しい掲示物を作成して投稿することができる。
【００６２】
文章素材情報を受信すると、端末機１２０は、受信した文章素材情報を含む掲示物作成インタフェースをディスプレイ部を介して出力する。図４Ａは、本発明の好ましい一実施形態による文章素材情報が添付された掲示物作成インタフェースの例示図である。図４Ａに示されたように、本発明による掲示物作成インタフェースは、掲示物の内容を入力する入力窓４００と、受信した文章素材情報が表示される文章素材情報表示窓４１０と、で構成されてもよい。一方、獲得した全ての文章素材媒介情報に対応する全ての文章素材情報を掲示物作成インタフェースに含んでユーザに提供するように構成された実施形態において、各文章素材情報は文章素材情報表示窓４１０を介して出力され、ユーザはこれを確認して自分が掲示物に添付しようとする文章素材情報を選択することができる。
【００６３】
ユーザの操作により入力窓４００を介して掲示物の内容が入力された後、ユーザが図４Ａに示されたような「登録」ボタンを選択すると、端末機１２０は、入力窓を介して入力された内容とユーザが選択した文章素材情報とを含む掲示物を生成／格納し（Ｓ３０６）、生成した文章素材情報が添付された掲示物をサービスサーバ１４０に伝送することにより、文章素材情報が添付された掲示物を投稿する（Ｓ３０８）。一方、上述のようなＳ３０８段階で、実施形態の構成によって、文章素材情報の代わりに文章素材媒介情報が添付された掲示物をサービスサーバ１４０に伝送し、文章素材媒介情報が添付された掲示物を受信したサービスサーバ１４０が、添付された文章素材媒介情報に該当する文章素材情報をデータベースから抽出してユーザの掲示物に添付することにより投稿が実行されるように構成されてもよい。このような方式で実施形態が構成される場合、通信データ量が減少するとともに、セキュリティ性が向上されるという効果をさらに期待することができる。
【００６４】
図４Ｂは本発明の好ましい一実施形態による、作成が完了した文章素材が添付された掲示物の例示図であり、図４Ｃは本発明の好ましい実施形態による文章素材がクリックされた場合に表示される画面の例示図である。文章素材情報が添付された掲示物は図４Ｂのような形式で構成され、掲示物を読む人が文章素材情報アイコン４２０を選択／クリックすると、図４Ｃのような文章素材情報が提供される。
【００６５】
本発明による実施形態は、多様なコンピュータ手段によって実行されるプログラム命令の形態に具現され、コンピュータ読み取り可能な媒体に記録されることができる。コンピュータ読み取り可能な媒体は、プログラム命令、データファイル、データ構造などを単独に、または組み合わせて含んでもよい。前記媒体に記録されるプログラム命令は、本発明のために特別に設計及び構成されたものであってもよく、コンピュータソフトウェアの当業者に公知されて使用可能なものであってもよい。コンピュータ読み取り可能な記録媒体の例としては、ハードディスク、フロッピーディスク（登録商標）及び磁気テープなどの磁気媒体（ｍａｇｎｅｔｉｃ  ｍｅｄｉａ）、ＣＤ−ＲＯＭ、ＤＶＤなどの光記録媒体（ｏｐｔｉｃａｌ  ｍｅｄｉａ）、フロプティカルディスク（ｆｌｏｐｔｉｃａｌ  ｄｉｓｋ）などの磁気−光媒体（ｍａｇｎｅｔｏ−ｏｐｔｉｃａｌ  ｍｅｄｉａ）及びＲＯＭ、ＲＡＭ、フラッシュメモリなどのような、プログラム命令を格納及び実行するように特別に構成されたハードウェア装置が含まれる。プログラム命令の例としては、コンパイラーによって作られるような機械語コードだけでなく、インタープリターなどを用いてコンピュータによって実行されることができる高級言語コードも含まれる。前記ハードウェア装置は、本発明の動作を行うために一つ以上のソフトウェアモジュールとして作動するように構成されることができ、その逆も同様である。
【００６６】
以上、本発明を具体的な構成要素などのような特定事項と限定された実施形態及び図面を参照して説明したが、これは本発明のより全体的な理解を容易にするために提供されたものにすぎず、本発明は前記実施形態によって限定されず、本発明が属する分野で通常的な知識を有した者であれば、このような記載から多様な修正及び変形が可能である。
【００６７】
従って、本発明の思想は前記実施形態に限定されて決まってはならず、特許請求範囲だけでなく、特許請求範囲と均等または等価的に変形された全ては、本発明の思想の範疇に属するとするべきである。
【符号の説明】
【００６８】
１００  店舗
１１０  ＮＦＣタグ
１２０ａ  第１端末機
１２０ｂ  第２端末機
１３０  無線通信網
１４０  サービスサーバ
１４２  文章素材データベース
１４４  掲示物データベース
【図１】
0005793465.tif 000003
【図２】
0005793465.tif 000004
【図３】
0005793465.tif 000005
【図４Ａ】
0005793465.tif 000006
【図４Ｂ】
0005793465.tif 000007
【図４Ｃ】
0005793465.tif 000008